(57)【要約】【課題】台灯籠の構成主体を紙類等の平面要素構成部材を用いて函体形成することにより意匠性、可搬性及び自立設置性を向上する。また、廃棄処理が容易で環境保全への寄与を図る。【解決手段】平面要素構成部材１を用いて多面体として函体形成され、少なくとも隣接する２面を欠損させて開口形成し、かつ、立面視で上面側と背面側を開放して自立設置するようにした灯籠用自立函体Ｘ及びこれを主体として蝋燭５を収設した台灯籠Ｙである。特徴構成は、自立設置基面となる底面要素構成部材11を浅底にカップ形成(111)し、立面の一部となる正面要素構成部材12の面幅を下から上へ漸増して造形し、立面の他部となる左右側面要素構成部材13;14 の面幅を下から上へ漸減して造形し、自立設置状態で正面要素構成部材12が後傾し、かつ、左右側面要素構成部材13;14 がそれぞれ外方へ斜傾するように姿勢保持してなるものである。【選択図】      図２
0003133222.tif 000002
【実用新案登録請求の範囲】
【請求項１】
墓前や仏前に供える台灯籠又は照明用仏具において、
平面要素構成部材を用いて多面体として函体形成され、少なくとも隣接する２面を欠損させて開口形成し、かつ、立面視で上面側と背面側を開放して自立設置するようにした灯籠用自立函体であって、
自立設置基面となる底面要素構成部材を浅底にカップ形成し、
立面の一部となる正面要素構成部材の面幅を下から上へ漸増して造形し、
立面の他部となる左右側面要素構成部材の面幅を下から上へ漸減して造形し、
自立設置状態で正面要素構成部材が後傾し、かつ、左右側面要素構成部材がそれぞれ外方へ斜傾するように姿勢保持してなることを特徴とする灯籠用自立函体。
【請求項２】
底面要素構成部材、正面要素部材及び左右側面要素部材が、展開図とした一のブランクからなる平面要素構成部材を折り曲げてそれぞれを連成してなるものである請求項１記載の灯籠用自立函体。
【請求項３】
底面要素構成部材、正面要素構成部材、左右側面要素部材又は平面要素構成部材が、それぞれ不燃性板材又は防炎紙材と、表装材又は化粧紙材とを貼着してなるものである請求項１又は２記載の灯籠用自立函体。
【請求項４】
正面要素構成部材となる不燃性板材又は防炎紙材の面内に穴を形設し、照明効果を増補するようにした請求項３記載の灯籠用自立函体。
【請求項５】
請求項１乃至４のいずれか１項記載の灯籠用自立函体と蝋燭を具備し、
前記蝋燭に底面要素構成部材のカップ底面内に立設可能な基端固定部材を付設し、かつ、該蝋燭を函体内に収設してなることを特徴とする台灯籠。
【考案の詳細な説明】
【技術分野】
【０００１】
本考案は、墓前や仏前に供える台灯籠又は照明用仏具に係り、詳しくは、平面要素構成部材を用いて多面体として函体形成され、少なくとも隣接する２面を欠損させて開口形成し、かつ、立面視で上面側と背面側を開放して自立設置するようにした灯籠用自立函体及びこれを主体として蝋燭を収設した台灯籠に関する。
【背景技術】
【０００２】
従来より、墓前灯籠として自立設置する種々の台灯籠があった（例えば、特許文献１、２及び３を参照）。卑近には盆灯籠がよく知られるところである。
【特許文献１】特開２００５−２４８６８６号公報
【特許文献２】特開平１０−２７５０３号公報
【特許文献３】実用新案登録第３０８２５４４号公報
【０００３】
また、仏前に供える照明用仏具（例えば立脚式の提灯）にも種々のものがあった（例えば、特許文献４及び５を参照）。
【特許文献４】特開２００４−１３５８７１号公報
【特許文献５】特開平８−２９４４４４号公報
【０００４】
ところで、本邦の中国地方（特に広島県）では、竹材を支柱として用い、その一端を竹割りに複数分割して灯籠用の面枠を形成し、該面枠に胴紙を貼着して「ぼんぼり」（火袋に相当）を造形した立設型の盆灯籠が広く知られている。なお、「ぼんぼり」の形状は上開きの逆さ六角錐形とされるのが一般的である。
【０００５】
しかしながら、この種の墓前灯籠については、近年、消防法や廃棄物を過剰排出するという環境上の観点から、その使用形態や処理のありかたが問題となってきた。寺門や墓苑では使用上の制約を課すところも多い。
【０００６】
こうしたなかで、宗教用具としての適性（意匠性を含む）を備え、かつ、使用環境（設置スペースを含む）や処理環境への負影響を改善した斬新な灯籠（本発明に関し自立設置型の台灯籠）が期待されている。また、仏前に供える照明用仏具としての使用も考慮される。
【考案の開示】
【考案が解決しようとする課題】
【０００７】
本考案が解決しようとする問題点は、持ち運びが容易で、設置スペースを小さくする点にある。
【０００８】
また、斬新かつコンパクトな函体設計により意匠性（美観）を向上し、量産可能とする点にある。
【０００９】
しかも、廃棄処理が容易で環境保全にも寄与する点にある。
【００１０】
本考案は、このような事情に鑑みなされたものであって、上記課題を解消し、灯籠の躯体を一部開放した函体構造とすることにより火袋を兼有して自立設置可能な灯籠用自立函体、及びこれを主体として蝋燭を収設した台灯籠を提供するものである。
【課題を解決するための手段】
【００１１】
課題を解決するために本考案は、墓前や仏前に供える台灯籠又は照明用仏具において、平面要素構成部材を用いて多面体として函体形成され、少なくとも隣接する２面を欠損させて開口形成し、かつ、立面視で上面側と背面側を開放して自立設置するようにした灯籠用自立函体であって、
自立設置基面となる底面要素構成部材を浅底にカップ形成し、
立面の一部となる正面要素構成部材の面幅を下から上へ漸増して造形し、
立面の他部となる左右側面要素構成部材の面幅を下から上へ漸減して造形し、
自立設置状態で正面要素構成部材が後傾し、かつ、左右側面要素構成部材がそれぞれ外方へ斜傾するように姿勢保持してなることを特徴とするものである。
【００１２】
また、上記構成の灯籠用自立函体を主体として蝋燭を具備した台灯籠であって、前記蝋燭に底面要素構成部材のカップ底面内に立設可能な基端固定部材を付設し、かつ、該蝋燭を函体内に収設してなることを特徴とするものである。
【考案の効果】
【００１３】
本考案によれば、函形の台灯籠を構成することにより持ち運びが容易で、設置スペースを小さくすることができる。また、斬新な意匠性（美観）を有し、量産可能である。しかも、廃棄処理が容易で環境保全にも寄与する。
【考案を実施するための最良の形態】
【００１４】
本考案の実施の最良形態は、上記構成の灯籠用自立函体において、自立設置基面となる底面要素構成部材は、背面側端縁を立ち上げて浅底にカップ形成している。
【００１５】
また、立面の一部となる正面要素構成部材は、面幅を下から上へ漸増し、その単面視両側長辺が下向きテーパ状の稜線となるように造形している。
【００１６】
また、立面の他部となる左右側面要素構成部材は、面幅を下から上へ漸減し、その単面視両側長辺がそれぞれ上向きテーパ状の稜線となるように造形している。
【００１７】
ここで、底面要素構成部材、正面要素部材及び左右側面要素部材は、展開図とした一のブランクからなる平面要素構成部材を折り曲げてそれぞれを連成してなるものとしている。
【００１８】
また、底面要素構成部材、正面要素構成部材、及び左右側面要素部材（平面要素構成部材に包含される）は、それぞれ内壁要素となる不燃性板材又は防炎紙材と、外壁要素となる表装材又は化粧紙材とを貼着してなるものである。
【００１９】
さらに、正面要素構成部材となる不燃性板材又は防炎紙材の面内に打ち抜き穴を形設し、照明効果を増補するように構成する場合がある。
【００２０】
そして、上記灯籠用自立函体と蝋燭を具備し、該蝋燭に底面要素構成部材のカップ底面内に立設可能な基端固定部材を付設し、かつ、該蝋燭を函体内に収設してなる台灯籠を構成している。
【実施例】
【００２１】
本考案の一実施例である灯籠用自立函体、及びこれを主体として蝋燭を具備した台灯籠〔以下、実施例函体（台灯籠）。〕について添付図面を参照して以下説明する。
【００２２】
図１は、実施例函体（台灯籠）の左前方斜視外観図である。図中、「Ｘ」印は「盂蘭盆会」、「倶會一處」、「佛恩報謝」、及び「供」等の表示をあらわしている。
【００２３】
図２は、同じく右後方斜視外観図である。
【００２４】
図３は、同じく正面視説明図である。
【００２５】
図４は、同じく右側面視説明図である。
【００２６】
図５は、同じく背面視説明図である。
【００２７】
図６は、平面要素構成部材を示す正面視展開図である。
【００２８】
図示するように、実施例函体Ｘは、平面要素構成部材を用いて少なくとも自立設置基面となる１底面と３周囲立面からなる交差壁面を形成した函体構造を有し、かつ、上面側と背面側を開放して自立設置するようにしたものである。
【００２９】
そして、台灯籠Ｙは、実施例函体Ｘを主体として実施例函体Ｘ内に蝋燭５を収設するようにしたものである。
【００３０】
ここで、蝋燭５には底面要素構成部材11のカップ底面内に立設可能な基端固定部材６を付設している。
【００３１】
実施例函体Ｘ（台灯籠Ｙ）の特徴的構成において、自立設置基面となる底面要素構成部材11は、その背面側端縁を立ち上げて浅底にカップ形成(111) している。
【００３２】
また、３周囲立面の一部となる正面要素構成部材12は、面幅を下から上へ漸増し、その単面視両側長辺が下向きテーパ状の稜線となるように造形している。
【００３３】
また、３周囲立面の他部となる左右側面要素構成部材13;14 は、面幅を下から上へ漸減し、その単面視両側長辺がそれぞれ上向きテーパ状の稜線となるように造形している。
【００３４】
ここで、底面要素構成部材11、正面要素部材12及び左右側面要素部材13;14 は、展開図とした一のブランクからなる平面要素構成部材１を折り曲げてそれぞれを連成してなるものとしている。
【００３５】
また、平面要素構成部材１（底面要素構成部材11、正面要素構成部材12、及び左右側面要素部材13;14 を含む）は、それぞれ内壁要素(10)となる不燃性板材又は防炎紙材10と、外壁要素(20)となる表装材又は化粧紙材20とを貼着している。
【００３６】
この場合、正面要素構成部材12の内壁要素(10)となるとなる不燃性板材又は防炎紙材10の面内に打ち抜き穴121 を形設し、照明効果を増補するように構成するのが好ましい。
【００３７】
そして、自立設置状態（自立姿勢）において、正面要素構成部材12が後傾し、かつ、左右側面要素構成部材13;14 がそれぞれ外方へ斜傾するように姿勢保持されている。
【産業上の利用可能性】
【００３８】
本考案は、函体構造の台灯籠を構成しており、使用性、美観に優れており、廃棄処分も容易で環境保全が図れるので、利便性があり、産業上の利用価値が高いものである。
【図面の簡単な説明】
【００３９】
【図１】実施例函体（台灯籠）の左前方斜視外観図である。
【図２】同じく右後方斜視外観図である。
【図３】同じく正面視説明図である。
【図４】同じく右側面視説明図である。
【図５】同じく背面視説明図である。
【図６】平面要素構成部材を示す正面視展開図である。
【符号の説明】
【００４０】
１  平面要素構成部材
10  不燃性板材又は防炎紙材（内壁要素）
20  表装材又は化粧紙材（外壁要素）
11  底面要素構成部材
111 カップ形成部
12  正面要素構成部材
121 打ち抜き穴
13  左側面要素構成部材
14  右側面要素構成部材
５  蝋燭
６  基端固定部材
Ｘ  灯籠用自立函体
Ｙ  台灯籠
【図１】
0003133222.tif 000003
【図２】
0003133222.tif 000004
【図３】
0003133222.tif 000005
【図４】
0003133222.tif 000006
【図５】
0003133222.tif 000007
【図６】
0003133222.tif 000008